(57)【要約】      （修正有）【課題】携行する傘を持ち歩かずに済ませる利便性のよい傘ホルダを実現する。【解決手段】畳んだ傘を収納するポケットを有する収納部材２と、鞄の把手に固着される固着部をその一端に有する固定部材１とからなり、収納部材２は固定部材１の他端に着脱容易に接合が可能であり、固着部１１にはボタン等の固着手段を備える。【選択図】図５
0003132782.tif 000002
【実用新案登録請求の範囲】
【請求項１】
畳んだ傘を収納するポケット（２１）を有する収納部材（２）と、手提げ鞄の把手部やショルダバッグの肩紐等に固着される固着部（１１）をその一端に有する固定部材（１）とからなり、前記収納部材（２）は前記固定部材（１）の他端に着脱容易に接合が可能であり、また前記固定部材（１）の固着部（１１）には、ボタン（１１３）等の固着手段を備えていることを特徴とする傘ホルダ。
【請求項２】
前記固定部材（１）の固着部（１１）と収納部材を取り付ける接合部（１３）とが折れ曲がり自由な中間部（１２）で接続されている請求項１に記載の傘ホルダ。
【請求項３】
前記収納部材（２）と前記固定部材（１）とのそれぞれの接合部（１３、２２）における接合手段がテープ状ファスナである請求項１または２に記載の傘ホルダ。
【考案の詳細な説明】
【技術分野】
【０００１】
本考案は、閉じた傘を直接持ち歩かず、手提げ鞄等に取り付けて携行できるようにした傘ホルダに関する。
【背景技術】
【０００２】
雨天の日には傘を携行するが、雨がやんだ場合や乗り物に乗った場合、建物や地下道内を通行する場合などは閉じた傘を持ち歩かねばならない。しかし手提げ鞄や他の荷物があるときに濡れた傘を持ち歩くのはそれだけ手がふさがり、不便であるとともに交通安全上も好ましくない。
このため、閉じた傘を手提げ鞄等に取り付けて携行できるようにして直接持ち歩かなくてもよいようにした傘ホルダがさまざま提案されている。一例として特許文献１に記載のものを図８に示す。帯状の基体３に、これを鞄の把手（ハンドル）に固定するための固定部材１と締め付けベルト４と大小のリング等よりなる拘束手段を取り付け、閉じた傘Ｕをこの拘束手段で基体３に固定すれば、鞄Ｂの把手Ｈを持つだけで鞄Ｂと同時に傘Ｕを携行することができる。
【０００３】
また他の例として特許文献２に記載のものを図９に示す。上方に取り付け用フックなどの固着部１１を設けた傘入れ用袋（ポケット）２１をかご状のバッグＢのへりに引っ掛けて同様の効果を上げるものである。雨傘用の場合はしずくが垂れるのでポケット２１を二重袋とすることも記載されている。
【特許文献１】特開２０００−１４４３７号公報
【特許文献２】実開平６−３６４１２号公報
【考案の開示】
【考案が解決しようとする課題】
【０００４】
本考案は、このような傘ホルダをさらに改良し、いっそう利便性を増した傘ホルダを提供することを目的とする。
【課題を解決するための手段】
【０００５】
本考案は、畳んだ傘を収納するポケットを有する収納部材と、手提げ鞄の把手部やショルダバッグの肩紐等に固着される固着部をその一端に有する固定部材とからなり、前記収納部材は前記固定部材の他端に着脱容易に接合が可能であり、また前記固定部材の固着部には、ボタン等の固着手段を備えていることを特徴とする傘ホルダであって、望ましくは前記固定部材の固着部と収納部材を取り付ける接合部とが折れ曲がり自由な中間部で接続されており、また前記収納部材と前記固定部材とのそれぞれの接合部における接合手段がテープ状ファスナである前記の傘ホルダである。
【考案の効果】
【０００６】
本考案によれば、嵩の張るポケット部が取り外し可能であるため、傘を収納しないときに固着部材のみを残すことができ、また固着部材はさまざまな形状の把手や肩紐に対応でき、傘の収納向きも自由に変更可能であり、また固定部材の中間部が折れ曲がり自由なのでさまざまな形状の鞄やバッグに対応できるなどのすぐれた効果を奏する。
【考案を実施するための最良の形態】
【０００７】
本考案の実施例を図面により説明する。図１は実施例の傘ホルダのうちの固定部材１を示す正面図で、１１は固着部、１２は中間部、１３は追って説明する収納部材が取り付けられる接合部、１１１は固定部に設けられた切り込み、１１２は開閉可能でこの切り込み１１１の端部をふさぐ閉止片、１１３は止めボタンである。鞄などの把手（ハンドル）を切り込み１１１に差し込み、閉止片１１２を回して止めボタン１１３で固定すれば固着部１１を介して固定部材１は鞄などに固定される。固着部１１は皮革、樹脂板等の板材を加工したものである。中間部１２は同じ材料でよいが面方向に自由に折れ曲がるように蛇腹形状となっている。接合部１３は同じく板材であるが表面に接合用のテープ状ファスナが貼り付けられている。切り込み１１１の形状を細い直線形状とし、中央をやや膨らませると、ショルダバッグなどの平らな紐状の把手や、手提げ鞄の中高の把手などに対応できる。なお、テープ状ファスナとしては、マジックテープ（登録商標）として流通している商品が好適である。
【０００８】
図２は固着部１１の変形例で、図１の裏側を示し、閉止片１１２の他にもう一つの閉止片１１２ａを設け、学童用ランドセルなどの細い横紐に固定できるようにしてある。二つの閉止片１１２、１１２ａは互いに邪魔にならぬよう、裏表に設けてある。
図３は収納部材２の表側を示す正面図、図４は同じく裏面を示す背面図で、２１は傘を収納するポケット、２２は前記の固定部材１の接合部１３と接合される接合部である。収納部材２も本体部は皮革、樹脂等の板材で、ポケット部は樹脂シート、布等の柔らかいものがよい。防水性を付与することが望ましい。
【０００９】
図５は実施例の傘ホルダをバッグに取り付けた状態を示す斜視図で、固定部材１はふくらみのあるバッグＢの把手Ｈに固定されているが、中間部１２が折れ曲がるので収納部材２はバッグＢの側面に沿って自然に垂れ下がっている。
図６は実施例の傘ホルダをやや角張った鞄Ｂに取り付けた状態を示す斜視図であるが、鞄Ｂの高さがやや低いため、収納部材２の下端部分が鞄Ｂの下に突出しないよう、収納部材２を固定部材１に対して斜め向きに取り付けている。このように、テープ状ファスナを介して固定部材１と収納部材２とは任意の角度で取り付けることができる。
【００１０】
さらに雨が完全に上がって傘が必要でなくなったときなどには、図７に示すように、傘とともに収納部材２を鞄Ｂの中にしまって、固定部材１だけを把手Ｈ部分に残してもよい。固定部材１すら取り外してしまうことも可能であるが、接合部１３の裏面に名前を書くなどの工夫をして名札、あるいは目印として残しておくのもよい。
以上傘ホルダとして説明したが、本考案の傘ホルダをやや小型にして携帯電話を入れるなどの多目的の応用が可能である。
【図面の簡単な説明】
【００１１】
【図１】本考案実施例の固定部材を示す正面図である。
【図２】図１における固着部の変形例を示す部分正面図である。
【図３】本考案実施例の収納部材の表側を示す正面図である。
【図４】本考案実施例の収納部材の裏側を示す背面図である。
【図５】本考案実施例の傘ホルダの使用状態を示す斜視図である。
【図６】同じく本考案実施例の傘ホルダの使用状態を示す斜視図である。
【図７】同じく本考案実施例の傘ホルダの使用状態を示す斜視図である。
【図８】従来の技術における傘ホルダの例を示す斜視図である。
【図９】従来の技術における傘ホルダの他の例を示す斜視図である。
【符号の説明】
【００１２】
１    固定部材
２    収納部材
３    基体
４    締め付けベルト
１１    固着部
１２    中間部
１３、２２    接合部
２１    ポケット
１１１    切り込み
１１２、１１２ａ    閉止片
１１３    止めボタン
Ｂ    鞄（バッグ）
Ｈ    把手
Ｕ    傘
【図１】
0003132782.tif 000003
【図２】
0003132782.tif 000004
【図３】
0003132782.tif 000005
【図４】
0003132782.tif 000006
【図５】
0003132782.tif 000007
【図６】
0003132782.tif 000008
【図７】
0003132782.tif 000009
【図８】
0003132782.tif 000010
【図９】
0003132782.tif 000011